(57)【要約】【課題】簡単な押圧操作のみで、確実にユーザーの意図する被写体にピントを合わせることができ、利便性、使い勝手の優れた撮像装置を提供する。【解決手段】撮像手段を介して取得した画像を表示する表示手段と、表示手段の前面に設けられたタッチパネルと、タッチパネルの押圧された位置を検出する位置情報検出手段と、位置情報検出手段で検出された押圧位置の被写体にピントが合うように合焦制御を行うオートフォーカス手段（＃１０３）とを有する撮像装置において、タッチパネルの押圧された面積を検出する面積情報検出手段（＃１０４）と、タッチパネルが押圧される（＃１０２）と、オートフォーカス手段により被写体に合焦させた後に（＃１０３）、面積情報検出手段にて検出された押圧面積部分の画像の拡大画面を表示手段に表示させる制御手段（＃１０５，＃１０６）とを有する。【選択図】図３
2011249887.tif 000002
【特許請求の範囲】
【請求項１】
撮像手段を介して取得した画像を表示する表示手段と、
前記表示手段の前面に設けられたタッチパネルと、
前記タッチパネルの押圧された位置を検出する位置情報検出手段と、
前記位置情報検出手段で検出された押圧位置の被写体にピントが合うように合焦制御を行うオートフォーカス手段とを有する撮像装置において、
前記タッチパネルの押圧された面積を検出する面積情報検出手段と、
前記タッチパネルが押圧されると、前記オートフォーカス手段により前記被写体に合焦させた後に、前記面積情報検出手段にて検出された押圧面積部分の画像の拡大画面を前記表示手段に表示させる制御手段とを有することを特徴とする撮像装置。
【請求項２】
前記制御手段は、前記拡大画面が表示されている状態で前記タッチパネルが押圧されると、前記オートフォーカス手段により押圧位置の被写体に再度合焦させた後、前記タッチパネルの押圧時間が所定時間以上の場合には、前記面積情報検出手段にて再度検出された押圧面積部分の画像の拡大画面を表示させることを特徴とする請求項１に記載の撮像装置。
【請求項３】
前記制御手段は、前記拡大画面が表示されている状態で前記タッチパネルが押圧されると、前記オートフォーカス手段により押圧位置の被写体に再度合焦させた後、前記タッチパネルの押圧時間が所定時間未満の場合には、前回前記タッチパネルが押圧された時の拡大画面の表示状態で、前記タッチパネルの押圧位置の変更を可能にすることを特徴とする請求項１または２に記載の撮像装置。
【請求項４】
前記制御手段は、前記表示手段に表示される画像の拡大画面がピクセル等倍になるまで、前記押圧面積部分の画像の拡大動作を行うことを特徴とする請求項１ないし３のいずれか１項に記載の撮像装置。
【請求項５】
前記拡大画面を通常の表示画面に戻すためのキャンセルスイッチを有することを特徴とする請求項１ないし４のいずれか１項に記載の撮像装置。
【発明の詳細な説明】
【技術分野】
【０００１】
本発明は、画像を表示する表示手段の前面にタッチパネルを有する撮像装置に関するものである。
【背景技術】
【０００２】
表示画面が押圧されることにより、その押圧位置を検出して焦点検出用の領域、すなわちオートフォーカスエリア（以下、ＡＦポイント）を瞬時のうちに設定する技術が開示されている（特許文献１）。そして、この技術ではそのＡＦポイントで焦点検出を行って合焦した画像を拡大表示する。
【先行技術文献】
【特許文献】
【０００３】
【特許文献１】特開２００５−７８００９号公報
【発明の概要】
【発明が解決しようとする課題】
【０００４】
しかしながら、一眼レフカメラにおいては、ＡＦポイントの指定を親指で行うことが多いため、意図している被写体にピントが合わなかったり、遠近競合が起きたりする。また、上記従来構成においては、ＡＦポイントの拡大画面表示は行われるので合焦状態の確認をすることができるが、もし意図した部分が合焦していなかった場合には、ユーザーに再度全体画面において同様の操作をしてもらわなければならず、利便性が悪かった。さらに、拡大画面表示される領域が直感的にわからず、使い勝手も悪いものであった。
【０００５】
（発明の目的）
本発明の目的は、簡単な押圧操作のみで、確実にユーザーの意図する被写体にピントを合わせることができ、利便性、使い勝手の優れた撮像装置を提供しようとするものである。
【課題を解決するための手段】
【０００６】
上記目的を達成するために、本発明の撮像装置は、撮像手段を介して取得した画像を表示する表示手段と、前記表示手段の前面に設けられたタッチパネルと、前記タッチパネルの押圧された位置を検出する位置情報検出手段と、前記位置情報検出手段で検出された押圧位置の被写体にピントが合うように合焦制御を行うオートフォーカス手段とを有する撮像装置において、前記タッチパネルの押圧された面積を検出する面積情報検出手段と、前記タッチパネルが押圧されると、前記オートフォーカス手段により前記被写体に合焦させた後に、前記面積情報検出手段にて検出された押圧面積部分の画像の拡大画面を前記表示手段に表示させる制御手段とを有することを特徴とするものである。
【発明の効果】
【０００７】
本発明によれば、簡単な押圧操作のみで、確実にユーザーの意図する被写体にピントを合わせることができ、利便性、使い勝手の優れた撮像装置を提供することができる。
【図面の簡単な説明】
【０００８】
【図１】本発明の一実施例に係る撮像装置の構成を示すブロック図である。
【図２】本実施例に係るタッチ操作を説明するための図である。
【図３】本実施例に係る動作を示すフローチャートである。
【図４】本実施例に係る拡大画面キャンセル動作を示した状態遷移図である。
【発明を実施するための形態】
【０００９】
本発明を実施するための形態は、以下の実施例に示す通りである。
【実施例】
【００１０】
図１は本発明の一実施例に係る一眼レフカメラ（撮像装置）のシステム構成を示すブロック図である。
【００１１】
図１において、１０１は撮影レンズ、１０２は絞り、１０８はフォーカス制御を含む各種の制御を行うカメラ制御マイコンである。１０９はカメラ制御マイコン１０８より送信される信号により撮影レンズ１０１や絞り１０２の駆動を制御するフォーカス制御部である。以上の撮影レンズ１０１、絞り１０２、フォーカス制御部１０９およびカメラ制御マイコン１０８（詳しくは、カメラ制御マイコン１０８内のＡＦに係わる部分のみ）が、ＡＦ部１００を構成する。
【００１２】
１０３は撮像素子、１０４は撮像素子１０３からの信号を増幅するＡＧＣ部（オートゲインコントロール）、１０５はＡ／Ｄ変換部であり、これらにより撮像部１１４が構成される。１０６は各種の画像系のデジタル信号処理を行うシステム制御部、１０７は半導体メモリ等の記録部である。
【００１３】
１１０はタッチパネルであり、液晶表示部１１３に具備されている。１１１はタッチパネル１１０がユーザーの指（親指等）により押圧（タッチ）された全表示画面上の位置を検出する位置情報検出部である。１１２はタッチパネル１１０がユーザーの指により押圧された面積を検出する面積情報検出部である。
【００１４】
上記構成において、図示しないスイッチによりカメラが再生モードにされる、もしくはクイックレビューなどのモードに入ると、システム制御部１０６は、撮像部１１４からの画像を液晶表示部１１３に表示させる。また、図示しないスイッチによりカメラがライブビューモードに設定されると、システム制御部１０６は、撮像部１１４からのライブビュー動画を液晶表示部１１３に表示させる。
【００１５】
図２（ａ）のように、画像表示された液晶表示部１１３のタッチパネル１１０がユーザーの例えば親指により押圧される。すると、位置情報検出部１１１によりその位置（ＡＦポイントに相当する）検出され、また、面積情報検出部１１２により押圧された面積の情報が検出される。そして、これらの情報はＡＦ部１００内のカメラ制御マイコン１０８およびシステム制御部１０６へ送信される。すると、ＡＦ部１００は、不図示の主被写体検出部により主被写体を決定し、フォーカス制御部１０９を制御してＡＦ動作を行う。このＡＦ部１００は、一般的なコントラストＡＦや位相差ＡＦなどによりＡＦ動作を行う部分に相当する。
【００１６】
一方、システム制御部１０６は、面積情報検出部１１２により検出された面積情報を基に、図２（ｂ）に示すように、液晶表示部１１３へ拡大画面を表示させる。よって、押圧された面積によって液晶表示部１１３に表示される拡大表示面積は異なることになる。この面積情報検出部１１２は、静電容量センサなどを用いて構成される。
【００１７】
次に、ユーザーによりタッチパネル１１０の押圧操作が行われた際のＡＦ動作や拡大画面表示に関する動作について、図３のフローチャートを用いて説明する。
【００１８】
図３において、ステップ＃１０１にて不図示のスイッチによりライブビューモードが設定されるとステップ＃１０２へ進み、カメラ制御マイコン１０８は、タッチパネル１１０が押圧されたか否かを判定する。図２（ａ）に示すようにタッチパネル１１０が押圧されたことを判定するとステップ＃１０３へ進み、その押圧位置をＡＦポイントとしてＡＦ制御を、位置情報検出部１１１からの情報に基づいて行う。
【００１９】
次のステップ＃１０４では、カメラ制御マイコン１０８は、面積情報検出部１１２を介して押圧された面積を検出する。そして、次のステップ＃１０５にて、システム制御部１０６を介して上記検出された面積部分を液晶表示部１１３に表示させる。これにより、ステップ＃１０６にて、図２（ｂ）に示すように第１拡大画面の表示が行われる。
【００２０】
次のステップ＃１０７では、ユーザーにより、第１拡大画面を見てＡＦされた部分の画像表示の確認が行われる。その結果、意図した部分のＡＦ＆拡大画面表示されているとしてユーザーにより不図示のＯＫボタンが押されていることを検出すると、カメラ制御マイコン１０８は、ステップ＃１１７へ進み、第１拡大画面での公知の撮影動作を実行する。
【００２１】
一方、意図した部分のＡＦ＆拡大画面表示されていないとしてユーザーにより不図示のＮＧボタンが押されていた場合は、カメラ制御マイコン１０８は、ステップ＃１０７からステップ＃１０８へ処理を進める。そして、このステップ＃１０８では、第１拡大画面を見て意図した部分がユーザーにより再度押圧されるのを待機する。そして、タッチパネル１１０が再度押圧されるとステップ＃１０９へ進み、上記ステップ＃１０３と同様、その押圧位置のＡＦ制御を、位置情報検出部１１１からの情報に基づいて行う。
【００２２】
次のステップ１１０では、カメラ制御マイコン１０８は、液晶表示部１１３に表示されている画面がピクセル等倍であるか否かを判定する。そして、ピクセル等倍であればこれ以上の拡大表示はできないのでステップ＃１０６へ戻り、第１拡大画面の表示を継続し、以下同様の動作を繰り返す。しかし、ピクセル等倍でないと判定した場合はステップ＃１１１へ進み、タッチパネル１１０が再度押圧されたその押圧時間の判定を行う。その結果、押圧時間が所定の時間より短い場合は、拡大表示面積は変えずに第１拡大画面において先程とは異なる位置をＡＦポイントとしたい場合であるとして、ステップ＃１０６へ戻り、以下同様の動作を繰り返す。
【００２３】
また、上記ステップ１１１にて押圧時間が所定の時間より長いと判定した場合には、カメラ制御マイコン１０８は、拡大表示面積を変え、再度ＡＦを行う場合であると判定して、ステップ＃１１２からステップ＃１１４までの処理を行う。なお、ステップ＃１１２からステップ＃１１４までの処理では、上記ステップ＃１０４からステップ＃１０６までの動作と同様であり、その説明は省略する。但し、ステップ＃１１４での拡大表示が、第２拡大画面となることはいうまでもない。
【００２４】
次のステップ１１５では、上記ステップ＃１０７と同様に、ユーザーにより液晶表示部１１３の画像表示にてＡＦされた部分の確認が行われる。そこで、カメラ制御マイコン１０８は、液晶表示部１１３の第２拡大画面を見て意図した部分のＡＦ＆拡大画面表示されているとして不図示のＯＫボタンが押されたことを検出するとステップ＃１１７へ進む。そして、ステップ＃１１７にて、第２拡大画面での公知の撮影動作を実行する。また、不図示のＮＧボタンが押されていた場合はステップ＃１１６へ進み、表示画面がピクセル等倍になるまで、第ｎ拡大画面まで繰り返すことになる。
【００２５】
次に、拡大画面の表示から通常画面へ戻す場合の動作について、図４を用いて説明する。
【００２６】
図４において、第０状態とは、拡大表示していない、通常のライブビュー画像を表示している状態である。前述した図３の動作を行い、第１拡大画面の表示がなされた状態を第１状態、第２拡大画面の表示がなされた状態を第２状態、ピクセル等倍まで拡大された第ｎ拡大画面の表示がなされた状態を第ｎ状態とする。
【００２７】
第１状態から第ｎ状態のどの状態においても、ユーザーにより、図示しないキャンセルスイッチがオンされると、第０状態、すなわち通常のライブビュー表示画面へと戻ることができる。このキャンセルスイッチは、カメラ外装に用意されたメカスイッチでも良いし、液晶表示部１１３上に表示させ、タッチパネル１１０を押圧することによってオンとなるスイッチでも良い。
【００２８】
以上の実施例における撮像装置は、撮像手段（撮像部１１４）を介して取得した画像を表示する表示手段（液晶表示部１１３）と、表示手段の前面に設けられたタッチパネル１１０とを有する。さらに、タッチパネル１１３の押圧された位置を検出する位置検出情報検出手段（位置情報検出部１１１）と、押圧された面積を検出する面積情報検出手段（面積情報検出部１１２）とを有する。さらに、位置情報検出手段で検出された押圧位置の被写体にピントが合うように合焦制御を行うオートフォーカス手段（カメラ制御マイコン１０８）を有する。そして、図２（ａ）のようなライブビュー中にタッチパネル１１３が押圧されると、オートフォーカス手段により被写体に合焦させる制御手段（カメラ制御マイコン１０８）を有する。そして、この制御手段は、合焦後に面積情報検出手段にて検出された押圧面積部分の画像の拡大画面（第１拡大画面）を表示手段に表示させるようにしている。
【００２９】
また、前記制御手段は、拡大画面が表示されている状態でタッチパネル１１３が押圧されると、オートフォーカス手段により押圧位置の被写体に再度合焦させる。そして、その後、タッチパネル１１３の押圧時間が所定時間以上の場合には、面積情報検出手段にて再度検出された押圧面積部分の画像の拡大画面（第２〜第ｎ拡大画面）を表示させる。
【００３０】
また、制御手段は、拡大画面が表示されている状態でタッチパネル１１３が押圧されると、オートフォーカス手段により押圧位置の被写体に再度合焦させる。そして、その後、タッチパネル１１３の押圧時間が所定時間未満の場合には、前回タッチパネル１１３が押圧された時の拡大画面の表示状態で、タッチパネル１１３の押圧位置の変更を可能にする。
【００３１】
なお、制御手段は、表示手段に表示される画像の拡大画面がピクセル等倍になるまで、押圧面積部分の画像の拡大動作を行うようにしている。
【００３２】
また、拡大画面（第１〜第ｎ拡大画面）を通常の表示画面に戻すためのキャンセルスイッチ（図４）を有する。
【００３３】
以上の実施例によれば、例えば親指一本のタッチパネル操作で、確実にＡＦポイントをユーザーの望んだ被写体に合わせることができる。つまり、ＡＦポイントの指定を親指で行ったとしても、意図する被写体にピントを合わせることができる。
【００３４】
また、もし意図した被写体にピントが合っていなかった場合にも、拡大画面の表示を見ながら、親指一本のタッチパネル操作を繰り返えせばよいので、容易に意図する被写体にピントを合わせることができ、利便性に優れた撮像装置とすることができる。さらに、拡大表示される領域を直感的に認識することができ、使い勝手も良好なものになる。
【符号の説明】
【００３５】
１０６      システム制御部
１０８      カメラ制御マイコン
１０９      フォーカス制御部
１００      ＡＦ部
１１０      タッチパネル
１１１      位置情報検出部
１１２      面積情報検出部
１１３      液晶表示部
１１４      撮像部
【図１】
2011249887.tif 000003
【図２】
2011249887.tif 000004
【図３】
2011249887.tif 000005
【図４】
2011249887.tif 000006